(57)【要約】  【課題】重量の大幅な増大を招くことなく、強度向上を図ることができる開閉体を提供する。  【解決手段】開閉体７は、湾曲状の連結端部16bを下端縁部に有する略板状の一の開閉体構成部材15を備える。開閉体７は、湾曲状の連結端部16aを上端縁部に有する略板状の他の開閉体構成部材15を備える。一の開閉体構成部材15の連結端部16bと他の開閉体構成部材15の連結端部16aとが回動自在に遊嵌連結されている。互いに対向した連結端部16a，16b間の間隙18には、線状部材である補強部材19を挿入して配設する。  【選択図】図２
2005126953.tif 000002
【特許請求の範囲】
【請求項１】
連結端部を有する略板状の一の開閉体構成部材と、
この一の開閉体構成部材の前記連結端部に回動自在に連結された連結端部を有する略板状の他の開閉体構成部材と、
前記一の開閉体構成部材の前記連結端部および前記他の開閉体構成部材の前記連結端部間の間隙に配設された補強部材と
を備えることを特徴とする開閉体。
【請求項２】
補強部材は、一の開閉体構成部材の連結端部および他の開閉体構成部材の連結端部間の長手状の間隙にこの間隙の長手方向に沿って挿入された線状部材である
ことを特徴とする請求項１記載の開閉体。
【請求項３】
連結端部を有する略板状の一の開閉体構成部材と、
この一の開閉体構成部材の前記連結端部に回動自在に連結された連結端部を有する略板状の他の開閉体構成部材とを備え、
前記一の開閉体構成部材の前記連結端部および前記他の開閉体構成部材の前記連結端部の少なくともいずれか一方には、折返状補強部が形成されている
ことを特徴とする開閉体。
【請求項４】
互いに隣接するもの同士が回動自在に連結された略中空状の複数の開閉体構成部材と、
これら複数の開閉体構成部材中の少なくともいずれか１つの開閉体構成部材内に配設された補強部材と
を備えることを特徴とする開閉体。
【請求項５】
補強部材は、開閉体構成部材内に充填された長手状の充填材にこの充填材の長手方向に沿って挿入された部材である
ことを特徴とする請求項４記載の開閉体。
【発明の詳細な説明】
【技術分野】
【０００１】
本発明は、重量の大幅な増大を招くことなく、強度向上を図ることができる開閉体に関するものである。
【背景技術】
【０００２】
従来、例えば湾曲状の連結端部を下端縁部に有する左右方向長手状で略板状の一の開閉体構成部材（例えば金属製のシャッタースラット）と、この一の開閉体構成部材の連結端部に回動自在に遊嵌連結された湾曲状の連結端部を上端縁部に有する左右方向長手状で略板状の他の開閉体構成部材（例えば金属製のシャッタースラット）とを備えた開閉体（例えばシャッターカーテン）が知られている（例えば、特許文献１参照）。
【特許文献１】特開平６−３３６７５号公報
【発明の開示】
【発明が解決しようとする課題】
【０００３】
しかしながら、上記従来の開閉体のように、単に互いに上下に隣接する略板状の開閉体構成部材同士を回動自在に連結しただけの構成では、十分な強度が得られないおそれがある。
【０００４】
そこで、強度向上のために、開閉体構成部材の板厚を厚くすることが考えられるが、開閉体構成部材の板厚を厚くすると、開閉体の重量が大幅に増大してしまう。
【０００５】
本発明は、このような点に鑑みなされたもので、重量の大幅な増大を招くことなく、強度向上を図ることができる開閉体を提供することを目的とする。
【課題を解決するための手段】
【０００６】
請求項１記載の開閉体は、連結端部を有する略板状の一の開閉体構成部材と、この一の開閉体構成部材の前記連結端部に回動自在に連結された連結端部を有する略板状の他の開閉体構成部材と、前記一の開閉体構成部材の前記連結端部および前記他の開閉体構成部材の前記連結端部間の間隙に配設された補強部材と備えるものである。
【０００７】
そして、一の開閉体構成部材の連結端部および他の開閉体構成部材の連結端部間の間隙に補強部材を配設することにより、重量の大幅な増大を招くことなく、強度向上を図ることが可能である。
【０００８】
請求項２記載の開閉体は、請求項１記載の開閉体において、補強部材は、一の開閉体構成部材の連結端部および他の開閉体構成部材の連結端部間の長手状の間隙にこの間隙の長手方向に沿って挿入された線状部材であるものである。
【０００９】
そして、線状部材を一の開閉体構成部材の連結端部および他の開閉体構成部材の連結端部間の長手状の間隙にこの間隙の長手方向に沿って挿入すればよく、組立作業が容易である。
【００１０】
請求項３記載の開閉体は、連結端部を有する略板状の一の開閉体構成部材と、この一の開閉体構成部材の前記連結端部に回動自在に連結された連結端部を有する略板状の他の開閉体構成部材とを備え、前記一の開閉体構成部材の前記連結端部および前記他の開閉体構成部材の前記連結端部の少なくともいずれか一方には、折返状補強部が形成されているものである。
【００１１】
そして、一の開閉体構成部材の連結端部および他の開閉体構成部材の連結端部の少なくともいずれか一方に折返状補強部を形成することにより、重量の大幅な増大を招くことなく、強度向上を図ることが可能である。
【００１２】
請求項４記載の開閉体は、互いに隣接するもの同士が回動自在に連結された略中空状の複数の開閉体構成部材と、これら複数の開閉体構成部材中の少なくともいずれか１つの開閉体構成部材内に配設された補強部材と備えるものである。
【００１３】
そして、複数の開閉体構成部材中の少なくともいずれか１つの開閉体構成部材内に補強部材を配設することにより、重量の大幅な増大を招くことなく、強度向上を図ることが可能である。
【００１４】
請求項５記載の開閉体は、請求項４記載の開閉体において、補強部材は、開閉体構成部材内に充填された長手状の充填材にこの充填材の長手方向に沿って挿入された部材であるものである。
【００１５】
そして、補強となる部材を開閉体構成部材内に充填された長手状の充填材にこの充填材の長手方向に沿って挿入すればよく、組立作業が容易である。
【発明の効果】
【００１６】
請求項１記載の開閉体によれば、一の開閉体構成部材の連結端部および他の開閉体構成部材の連結端部間の間隙に補強部材を配設することにより、重量の大幅な増大を招くことなく、強度向上を図ることができる。
【００１７】
請求項２記載の開閉体によれば、線状部材を一の開閉体構成部材の連結端部および他の開閉体構成部材の連結端部間の長手状の間隙にこの間隙の長手方向に沿って挿入すればよく、組立作業が容易である。
【００１８】
請求項３記載の開閉体によれば、一の開閉体構成部材の連結端部および他の開閉体構成部材の連結端部の少なくともいずれか一方に折返状補強部を形成することにより、重量の大幅な増大を招くことなく、強度向上を図ることができる。
【００１９】
請求項４記載の開閉体によれば、複数の開閉体構成部材中の少なくともいずれか１つの開閉体構成部材内に補強部材を配設することにより、重量の大幅な増大を招くことなく、強度向上を図ることができる。
【００２０】
請求項５記載の開閉体によれば、補強となる部材を開閉体構成部材内に充填された長手状の充填材にこの充填材の長手方向に沿って挿入すればよく、組立作業が容易である。
【発明を実施するための最良の形態】
【００２１】
本発明の開閉体の一実施の形態について図面を参照して説明する。
【００２２】
図１において、１は開閉装置で、この開閉装置１は、例えば建物２の窓開口等の開口部３を開閉する窓シャッタ装置である。
【００２３】
そして、開閉装置１は、互いに離間対向して位置する上下方向長手状の左右一対の案内体（ガイドレール）５を備えている。
【００２４】
両案内体５の下端部間には、左右方向長手状の被当接部である下枠体（図示せず）が配設されている。両案内体５の上端部間には、左右方向長手状で略箱状の収容ケース体（シャッタボックス）６が配設されている。収容ケース体６内には、巻体（図示せず）が左右方向の軸線を中心として回転可能に配設されている。
【００２５】
また、開閉装置１は、巻体の回転により両案内体５にて案内されながら開口部３に沿って昇降して開口部３を開閉する昇降可能（移動可能）な略面状の開閉体（シャッタカーテン）７を備えている。
【００２６】
開閉体７は、開口部３の閉鎖時には、巻体からの巻戻しにより下端部が下枠体に当接するまで下降して略全体が垂直面に沿った略平板状となって、開口部３を閉鎖する。また、開閉体７は、開口部３の開口時には、巻体の巻取りにより下端部が収容ケース体６の底面部下面に当接するまで上昇して略全体が収容ケース体６内で略円筒状となって、開口部３を開口させる。
【００２７】
ここで、開閉装置１用の開閉体７は、例えば巻体に上端部が取り付けられた開閉体本体部11と、この開閉体本体部11の下端部に取り付けられ開口部３の閉鎖時に下枠体に当接する当接部である幅木部12とにて構成されている。
【００２８】
開閉体本体部11は、互いに上下に隣接するもの同士が回動自在に遊嵌連結された略板状の複数の開閉体構成部材15を備えている。各開閉体構成部材15は、左右方向に長手方向を有する左右方向長手状で略矩形板状をなす同一形状のもので、例えば板厚の薄い金属製のシャッタースラットである。
【００２９】
そして、図２および図３に示すように、互いに上下に隣接する開閉体構成部材15，15中の一方の開閉体構成部材である上側の開閉体構成部材（一の開閉体構成部材）15は、湾曲状の連結端部16a，16bを長手方向に沿った上下端縁部にそれぞれ有している。
【００３０】
また同様に、他方の開閉体構成部材である下側の開閉体構成部材（他の開閉体構成部材）15も、湾曲状の連結端部16a，16bを長手方向に沿った上下端縁部にそれぞれ有している。
【００３１】
そして、上側の開閉体構成部材15の下端縁部の連結端部16bおよび下側の開閉体構成部材15の上端縁部の連結端部16a間の間隙18には、開閉体構成部材15と略同じ長さの１本の線状の補強部材19が長手状の開閉体構成部材15の長手方向に沿って開閉体構成部材15の略全長にわたって配設されている。
【００３２】
この補強部材19は、例えば互いに対向した連結端部16a，16b間の左右方向に長手状の間隙18にこの間隙18の長手方向に沿って側方から挿入された断面円形の線状部材、例えば金属製のワイヤである。
【００３３】
一方、幅木部12は、開閉体構成部材15と略同じ長さの左右方向長手状の幅木板部材20を備え、この幅木板部材20の両端側には、施錠時に案内体５の下端部の突出状の係合受け部（図示せず）との係合により開閉体７の上昇を規制する上昇規制用の係合部材（鍵バー）が移動可能に設けられている。
【００３４】
各係合部材は、操作レバーの操作により、案内体５の係合受け部と係合可能な係合位置と、案内体５の係合受け部と係合不能な非係合位置とにそれぞれ選択的に移動可能となっている。また、各係合部材は、ばね等の付勢手段にて係合位置に移動する方向に付勢されている。なお、案内体５の係合受け部と、開閉体７の係合部材とにて、開口部３の閉鎖時に開閉体７を下端位置（閉鎖位置）にロックするロック手段（施錠手段）が構成されている。
【００３５】
そして、このような開閉装置１を使用して開口部３を閉鎖する場合、開閉体７を巻体から巻戻しつつ開口部３に沿って下降させ、開閉体７の下端部の幅木部12を下枠体に当接させる。
【００３６】
この開閉体７の下降途中で、上昇規制用の係合部材は、案内体５の係合受け部の傾斜面にて押されることにより付勢手段の付勢力に抗して非係合位置まで一旦移動するが、係合受け部の傾斜面から離れた後には、その上昇規制用の係合部材は、付勢手段の付勢力にて係合位置に復帰する。こうしてロック手段によるロックが自動的にかかる。
【００３７】
そして、開口部３の閉鎖時に、例えば建物２内に侵入しようとする者が悪意により室外側から切断具である金切ばさみで開閉体構成部材15を切って開閉体７に侵入用開口を形成しようとしても、開閉体７が補強部材19で補強されているため、その者が侵入用開口を容易に形成することを防止することができる。
【００３８】
なお、室内側から開口部３を開口する場合は、操作レバーを操作して上昇規制用の係合部材を案内体５の係合受け部とは係合不能な非係合位置まで移動させてから、開閉体７を開口部３に沿って上昇させればよい。
【００３９】
このように上記開閉体７によれば、互いに隣接する開閉体構成部材15の連結端部16a，16b間の間隙18に補強部材19を挿入して配設することにより、重量の大幅な増大を招くことなく、強度向上を図ることができる。よって、例えば悪意により室外側から金切ばさみ等で侵入用開口が容易に形成されるようなことを防止し、防犯性に優れた開閉装置１を提供することができる。
【００４０】
また、補強部材19として線状部材（例えばワイヤ）を連結端部16a，16b間の間隙18にこの間隙18の長手方向に沿って挿入するだけでよく、組立作業がきわめて容易であり、既存の開閉体構成部材15をそのまま使用でき、既設の開閉装置１でも補強できる。
【００４１】
さらに、互いに隣接する開閉体構成部材15の連結端部16a，16b間の間隙18が補強部材19の存在により小さくなり、がたつきを抑制できる。
【００４２】
なお、上記実施の形態においては、開閉体７は、間隙18にワイヤ等の補強部材19が配設されたものとして説明したが、例えば図４に示すように、開閉体７は、上側の開閉体構成部材（一の開閉体構成部材）15の下端縁部の連結端部16bおよび下側の開閉体構成部材（他の開閉体構成部材）15の上端縁部の連結端部16aの少なくともいずれか一方、例えば両方に折返状補強部（むだ折り）21が開閉体構成部材15の長手方向に沿った端縁部分の折り返しにより一体に形成されたものでもよい。
【００４３】
また、例えば図４に示す互いに対向した折返状補強部21間の間隙18にワイヤ等の補強部材19を配設すれば、強度をより一層向上させることができる。
【００４４】
さらに、例えば図５に示すように、開閉体７は、互いに上下に隣接するもの同士が湾曲状の連結端部16a，16bで回動自在に遊嵌連結された略中空状の複数の開閉体構成部材15と、これら複数の開閉体構成部材15中の少なくともいずれか１つ、例えばすべての開閉体構成部材15内に配設された補強部材19とを備えたものでもよい。
【００４５】
各補強部材19は、例えば開閉体構成部材15内に充填された長手状の遮音および断熱用の充填材（例えば発泡ウレタン）23にこの充填材23の長手方向に沿って挿入された部材、例えば線状部材（例えば金属製のワイヤ）である。
【００４６】
なお、例えば充填材23に挿入用孔を形成しその挿入用孔に補強部材19を挿入するようにしてもよく、また開閉体構成部材15内に補強部材19を配設した後に充填材23を充填するようにしてもよい。また、この補強部材19は、所望の強度を有し開閉体構成部材15内に挿入できるものであれば、線状や板状等の任意な構成や形状の部材でよい。
【００４７】
また、開閉体７は、例えば図５に示す連結端部16a，16b間の間隙18にワイヤ等の補強部材19を配設したり、連結端部16a，16bに折返状補強部21を形成したりしたもの等でもよい。
【００４８】
さらに、いずれの実施の形態においても、例えば図６ないし図１０に示すように、金属製のシャッタースラット等の開閉体構成部材15の形状を変えることにより、強度をより一層向上させるようにしてもよい。
【００４９】
図６に示す開閉体構成部材15は、上下の連結端部16a，16b以外の部分を上下方向に波進行方向を有する断面波形状にしたものである。
【００５０】
図７に示す開閉体構成部材15は、開閉体構成部材15の長手方向に間隔をおいて並んで位置して室外側や室内側に向って表面から膨出した一直線状の複数の膨出部（しぼり）25が開閉体構成部材15の幅方向に沿って一体に形成されたものである。
【００５１】
図８に示す開閉体構成部材15は、開閉体構成部材15の長手方向に間隔をおいて並んで位置して室外側や室内側に向って表面から膨出した一直線状の複数の膨出部（しぼり）26が開閉体構成部材15の幅方向（上下方向）に対して例えば略４５度傾斜した方向に沿って一体に形成されたものである。
【００５２】
図９に示す開閉体構成部材15は、開閉体構成部材15の長手方向に間隔をおいて並んで位置して室外側や室内側に向って表面から膨出した略く字状の複数の膨出部（しぼり）27が一体に形成されたものである。
【００５３】
図１０に示す開閉体構成部材15は、開閉体構成部材15の長手方向に間隔をおいて並んで位置して室外側や室内側に向って表面から膨出した略Ｘ字状の複数の膨出部（しぼり）28が一体に形成されたものである。なお、図６ないし図１０に示す開閉体構成部材15は略板状のものであるが、略中空状の開閉体構成部材15にも適用できる。
【００５４】
また一方、開閉体７の複数の間隙18のすべてに補強部材19をそれぞれ配設することが好ましいが、例えば開閉体７の下部側に位置する間隙18のみに補強部材19を配設するような構成等でもよい。すなわち、開閉体７の間隙18に補強部材19を設ける場合、全部の間隙18に設けるようにしてもよく、一部の間隙18に設けるようにしてもよく、一部の場合は、少なくとも開閉体７を閉鎖位置でロックする施錠手段の近傍に位置する間隙18に設けることが好ましい。
【００５５】
また、開閉体７の略中空状の複数の開閉体構成部材15のすべてに補強部材19をその内部にそれぞれ配設することが好ましいが、例えば開閉体７の下部側に位置する開閉体構成部材15のみに補強部材19を配設するような構成等でもよい。すなわち、開閉体７の開閉体構成部材15に補強部材19を設ける場合、全部の開閉体構成部材15に設けるようにしてもよく、一部の開閉体構成部材15に設けるようにしてもよく、一部の場合は、少なくとも開閉体７を閉鎖位置でロックする施錠手段の近傍に位置する開閉体構成部材15に設けることが好ましい。
【００５６】
さらに、補強部材19は、金属製のワイヤ等の線状部材には限定されず、線状以外の形状のものでもよく、また樹脂製のもの等でもよい。また、補強部材19は、開閉体構成部材15と同等、或いは、それ以上の硬度や強度を有した材料にて構成された部材とすることがより好ましい。
【００５７】
また、開閉装置１は、窓開口等である開口部３の周囲等に固定された窓シャッタ装置には限定されず、例えば、図示しないが、その他の開口部の周囲に固定された他のシャッタ装置、ブラインド装置等、或いはこれら装置のうちの同種または異種を複数並設したもの等でもよい。
【００５８】
さらに、開閉装置１は、開口部３の閉鎖時に開閉体７の幅木部12が下枠体に当接する構成には限定されず、例えば下枠体を設けず、幅木部12を床面等の建物の躯体側に直接当接させる構成等でもよい。
【図面の簡単な説明】
【００５９】
【図１】本発明の開閉体の一実施の形態を備えた開閉装置の斜視図である。
【図２】同上開閉体の要部斜視図である。
【図３】同上開閉体の要部断面図である。
【図４】本発明の開閉体の他の実施の形態を示す要部断面図である。
【図５】本発明の開閉体のさらに他の実施の形態を示す要部斜視図である。
【図６】本発明の開閉体のさらに他の実施の形態を示す要部斜視図である。
【図７】本発明の開閉体のさらに他の実施の形態を示す要部斜視図である。
【図８】本発明の開閉体のさらに他の実施の形態を示す要部斜視図である。
【図９】本発明の開閉体のさらに他の実施の形態を示す要部斜視図である。
【図１０】本発明の開閉体のさらに他の実施の形態を示す要部斜視図である。
【符号の説明】
【００６０】
７    開閉体
15    開閉体構成部材
16a，16b    連結端部
18    間隙
19    補強部材
21    折返状補強部
23    充填材
【図１】
2005126953.tif 000003
【図２】
2005126953.tif 000004
【図３】
2005126953.tif 000005
【図４】
2005126953.tif 000006
【図５】
2005126953.tif 000007
【図６】
2005126953.tif 000008
【図７】
2005126953.tif 000009
【図８】
2005126953.tif 000010
【図９】
2005126953.tif 000011
【図１０】
2005126953.tif 000012